(57)【要約】【課題】表示装置の輝度調整にかかるユーザの利便性をより向上するとともに、省電力効果が高い輝度制御態様に容易に変更できるようにする。【解決手段】センサ１３によって検出された表示部１１の周囲の明るさに応じて表示部１１の輝度を変更する第１の輝度制御態様と、表示部１１の輝度を予め設定された設定輝度に保つ第２の輝度制御態様と、表示部１１の輝度を最小輝度値に保つ第３の輝度制御態様とのいずれか一つの輝度制御態様で表示部１１の輝度を制御する輝度制御部１５ａと、この輝度制御部１５ａによる輝度制御態様を切り替える際に操作される第１操作部１６と、この第１操作部１６の操作に応じて、輝度制御部１５ａによる輝度制御態様を切り替える切替制御部１５ｂとをそなえて構成する。【選択図】図１
2008164766.tif 000002
【特許請求の範囲】
【請求項１】
表示部と、
該表示部の周囲の明るさを検出するセンサと、
該センサによって検出された前記周囲の明るさに応じて該表示部の輝度を変更する第１の輝度制御態様と、該表示部の輝度を予め設定された設定輝度に保つ第２の輝度制御態様と、該表示部の輝度を最小輝度値に保つ第３の輝度制御態様とのいずれか一つの輝度制御態様で該表示部の輝度を制御する輝度制御部と、
該輝度制御部による前記輝度制御態様を切り替える際に操作される第１操作部と、
該第１操作部の操作に応じて、該輝度制御部による前記輝度制御態様を切り替える切替制御部とをそなえて構成されていることを特徴とする、表示装置。
【請求項２】
該切替制御部が、該第１操作部が操作される度に、該輝度制御部による前記輝度制御態様を前記第１の輝度制御態様，前記第２の輝度制御態様，および前記第３の輝度制御態様のうちのいずれか一つに所定の順序で切り替えることを特徴とする、請求項１記載の表示装置。
【請求項３】
該第１操作部が最初に操作されたときは、該輝度制御部が前記輝度制御態様を現在のまま維持するとともに、該輝度制御部によって維持された現在の前記輝度制御態様に関する情報を該表示部に表示させる態様表示制御部をそなえて構成されていることを特徴とする、請求項１記載の表示装置。
【請求項４】
該第１操作部が２回目以降に操作されたときは、該第１操作部が操作される度に、該切替制御部が該輝度制御部による前記輝度制御態様を前記第１の輝度制御態様，前記第２の輝度制御態様，および前記第３の輝度制御態様のうちのいずれか一つに所定の順序で切り替えることを特徴とする、請求項３記載の表示装置。
【請求項５】
該態様表示制御部が、該切替制御部によって該輝度制御部による前記輝度制御態様が切り替えられたときは、切り替え後の前記輝度制御態様に関する情報を該表示部に表示させることを特徴とする、請求項４記載の表示装置。
【請求項６】
該輝度制御部が、前記第３の輝度制御態様をとる場合、該センサによって検出された前記周囲の明るさに応じて前記最小輝度値を設定することを特徴とする、請求項１〜５のいずれか１項に記載の表示装置。
【請求項７】
該表示部の輝度値を変更する際に操作される第２操作部をそなえ、
該輝度制御部が前記第１の輝度制御態様もしくは前記第３の輝度制御態様で該表示部の輝度を制御している際に、該第２操作部が操作されると、該切替制御部が該輝度制御部による前記輝度制御態様を前記第２の輝度制御態様に切り替えることを特徴とする、請求項１〜６のいずれか１項に記載の表示装置。
【請求項８】
該輝度制御部が、該第２操作部の操作に応じて前記第２の輝度制御態様をとる場合の前記設定輝度を変更することを特徴とする、請求項７記載の表示装置。
【請求項９】
表示部と、
表示信号を出力する出力部と、
該出力部によって出力された表示信号に基づいた内容を該表示部に表示させる表示制御部と、
該表示部の周囲の明るさを検出するセンサと、
該センサによって検出された前記周囲の明るさに応じて該表示部の輝度を変更する第１の輝度制御態様と、該表示部の輝度を予め設定された設定輝度に保つ第２の輝度制御態様と、該表示部の輝度を最小輝度値に保つ第３の輝度制御態様とのいずれか一つの輝度制御態様で該表示部の輝度を制御する輝度制御部と、
該輝度制御部による前記輝度制御態様を切り替える際に操作される操作部と、
該操作部の操作に応じて、該輝度制御部による前記輝度制御態様を切り替える切替制御部とをそなえて構成されていることを特徴とする、表示システム。
【請求項１０】
該切替制御部が、該操作部が操作される度に、該輝度制御部による前記輝度制御態様を前記第１の輝度制御態様，前記第２の輝度制御態様，および前記第３の輝度制御態様のうちのいずれか一つに所定の順序で切り替えることを特徴とする、請求項９記載の表示システム。
【請求項１１】
表示部と、当該表示部の周囲の明るさを検出するセンサとを有する表示装置の輝度調整を行なう機能をコンピュータに実現させるための輝度調整プログラムであって、
該センサによって検出された前記周囲の明るさに応じて該表示部の輝度を変更する第１の輝度制御態様と、該表示部の輝度を予め設定された設定輝度に保つ第２の輝度制御態様と、該表示部の輝度を最小輝度値に保つ第３の輝度制御態様とのいずれか一つの輝度制御態様で該表示部の輝度を制御する輝度制御部、および、
該輝度制御部による前記輝度制御態様を切り替える際に操作される操作部の操作に応じて、該輝度制御部による前記輝度制御態様を切り替える切替制御部として、前記コンピュータを機能させることを特徴とする、輝度調整プログラム。
【発明の詳細な説明】
【技術分野】
【０００１】
本発明は、液晶ディスプレイ等の表示画面を有する表示装置において、表示画面の輝度（明るさ）調整を行なうための技術に関する。
【背景技術】
【０００２】
従来から、液晶ディスプレイ等の表示画面を有する表示装置において、表示画面の輝度（明るさ）をユーザが見易いと感じる好みの明るさに設定する場合には、ユーザは表示装置に設けられた複数の操作ボタンを操作してＯＳＤ（On Screen Display）により輝度調整を行なう必要があった。
最近では、明るさセンサが搭載され、表示画面の輝度を、センサによって検出された周囲の明るさに応じた適度な輝度に自動調整する機能をそなえた液晶ディスプレイ装置や液晶テレビ等がある。
【０００３】
しかしながら、従来の液晶ディスプレイ装置等は、自動調整を解除するためには、ＯＳＤの操作が必要で、ユーザは自動調整を解除するために、操作ボタンを幾つかの手順を踏んで複数回操作する必要があった。
そこで、自動調整するか否かを一つの操作部を操作することで切り替えることができる技術が提案されている（例えば下記特許文献１，２参照）。
【特許文献１】特開２００４−１１７９４４号公報
【特許文献２】特開２０００−３３０５４２号公報
【発明の開示】
【発明が解決しようとする課題】
【０００４】
ところで、近年、表示装置に対するユーザの高い省電力（省エネルギ）効果への要求が高まっている。
表示画面の輝度を周囲の明るさに応じて自動調整すると、周囲の明るさに係わらず高い輝度を保つ場合に対しては、消費電力を低減できるという効果を得ることができる。
しかしながら、輝度の自動調整は、あくまで周囲の明るさに応じてユーザが見易い輝度を実現するものであるので、周囲の明るさに応じて輝度を自動調整することによって、顕著な省電力効果を得ることができるわけではない。
【０００５】
したがって、上記特許文献１，２に開示された従来技術のように、自動調整をするか否かを切り替えることができるだけでは、高い省電力効果を実現できない。
つまり、上記特許文献１，２に開示された従来技術は、単純に２つのモード（輝度制御態様）を選択するだけであるので、ユーザは自動調整モードではないときに、自分が最も見易いと感じる所望の輝度を設定していれば、その設定値を高い省電力効果が得られる低い輝度に変更するために、ユーザにとって煩わしい複数手順を要するＯＳＤの操作が必要になってしまい、ユーザは非常に不便である。
【０００６】
一方、自動調整モードではないときの所定の輝度として、高い省電力効果を実現できる低い輝度が設定されていれば、ユーザが、周囲が明るい等の理由で表示画面が見にくいために輝度を高めたいと考えた場合にも、ＯＳＤの操作が必要になってしまい、この場合にもユーザにとっての利便性が悪い。
【０００７】
本発明は、このような課題に鑑み創案されたもので、表示装置の輝度調整にかかるユーザの利便性をより向上するとともに、省電力効果が高い輝度制御態様に容易に変更できるようにすることを目的とする。
【課題を解決するための手段】
【０００８】
上記目的を達成するために、本発明の表示装置は、表示部と、この表示部の周囲の明るさを検出するセンサと、このセンサによって検出された前記周囲の明るさに応じて該表示部の輝度を変更する第１の輝度制御態様と、該表示部の輝度を予め設定された設定輝度に保つ第２の輝度制御態様と、該表示部の輝度を最小輝度値に保つ第３の輝度制御態様とのいずれか一つの輝度制御態様で該表示部の輝度を制御する輝度制御部と、この輝度制御部による前記輝度制御態様を切り替える際に操作される第１操作部と、この第１操作部の操作に応じて、該輝度制御部による前記輝度制御態様を切り替える切替制御部とをそなえて構成されていることを特徴としている（請求項１）。
【０００９】
なお、該切替制御部が、該第１操作部が操作される度に、該輝度制御部による前記輝度制御態様を前記第１の輝度制御態様，前記第２の輝度制御態様，および前記第３の輝度制御態様のうちのいずれか一つに所定の順序で切り替えることが好ましい（請求項２）。
また、該第１操作部が最初に操作されたときは、該輝度制御部が前記輝度制御態様を現在のまま維持するとともに、該輝度制御部によって維持された現在の前記輝度制御態様に関する情報を該表示部に表示させる態様表示制御部をそなえて構成されていることが好ましい（請求項３）。
【００１０】
さらに、該第１操作部が２回目以降に操作されたときは、該第１操作部が操作される度に、該切替制御部が該輝度制御部による前記輝度制御態様を前記第１の輝度制御態様，前記第２の輝度制御態様，および前記第３の輝度制御態様のうちのいずれか一つに所定の順序で切り替えることが好ましい（請求項４）。
なお、該態様表示制御部が、該切替制御部によって該輝度制御部による前記輝度制御態様が切り替えられたときは、切り替え後の前記輝度制御態様に関する情報を該表示部に表示させることが好ましい（請求項５）。
【００１１】
また、該輝度制御部が、前記第３の輝度制御態様をとる場合、該センサによって検出された前記周囲の明るさに応じて前記最小輝度値を設定することが好ましい（請求項６）。
さらに、該表示部の輝度値を変更する際に操作される第２操作部をそなえ、該輝度制御部が前記第１の輝度制御態様もしくは前記第３の輝度制御態様で該表示部の輝度を制御している際に、該第２操作部が操作されると、該切替制御部が該輝度制御部による前記輝度制御態様を前記第２の輝度制御態様に切り替えることが好ましい（請求項７）。
【００１２】
なお、該輝度制御部が、該第２操作部の操作に応じて前記第２の輝度制御態様をとる場合の前記設定輝度を変更することが好ましい（請求項８）。
また、上記目的を達成するために、本発明の表示システムは、表示部と、表示信号を出力する出力部と、この出力部によって出力された表示信号に基づいた内容を該表示部に表示させる表示制御部と、該表示部の周囲の明るさを検出するセンサと、このセンサによって検出された前記周囲の明るさに応じて該表示部の輝度を変更する第１の輝度制御態様と、該表示部の輝度を予め設定された設定輝度に保つ第２の輝度制御態様と、該表示部の輝度を最小輝度値に保つ第３の輝度制御態様とのいずれか一つの輝度制御態様で該表示部の輝度を制御する輝度制御部と、この輝度制御部による前記輝度制御態様を切り替える際に操作される操作部と、この操作部の操作に応じて、該輝度制御部による前記輝度制御態様を切り替える切替制御部とをそなえて構成されていることを特徴としている（請求項９）。
【００１３】
なお、該切替制御部が、該操作部が操作される度に、該輝度制御部による前記輝度制御態様を前記第１の輝度制御態様，前記第２の輝度制御態様，および前記第３の輝度制御態様のうちのいずれか一つに所定の順序で切り替えることが好ましい（請求項１０）。
また、上記目的を達成するために、本発明の輝度調整プログラムは、表示部と、当該表示部の周囲の明るさを検出するセンサとを有する表示装置の輝度調整を行なう機能をコンピュータに実現させるためのプログラムであって、該センサによって検出された前記周囲の明るさに応じて該表示部の輝度を変更する第１の輝度制御態様と、該表示部の輝度を予め設定された設定輝度に保つ第２の輝度制御態様と、該表示部の輝度を最小輝度値に保つ第３の輝度制御態様とのいずれか一つの輝度制御態様で該表示部の輝度を制御する輝度制御部、および、この輝度制御部による前記輝度制御態様を切り替える際に操作される操作部の操作に応じて、該輝度制御部による前記輝度制御態様を切り替える切替制御部として、前記コンピュータを機能させることを特徴としている（請求項１１）。
【発明の効果】
【００１４】
このように、本発明によれば、輝度制御部が第１の輝度制御態様，第２の輝度制御態様，および第３の輝度制御態様のいずれか一つの輝度制御態様で表示部の輝度を制御するように構成され、切替制御部が、第１操作部（操作部）の操作に応じて輝度制御部による輝度制御態様を切り替えるので、ユーザは表示装置に設けられた、たった一つの第１操作部を操作するだけで表示装置の輝度制御制御を省電力効果が非常に高い第３の輝度制御態様に変更でき、ユーザは、省電力効果が高い輝度制御態様への切り替えを非常に容易に実現できる（請求項１，９，１１）。
【００１５】
さらに、一つの第１操作部を押下するだけという非常に容易な操作で３つの輝度制御モードを選択できるのでユーザの利便性がより向上する（請求項１，９，１１）。
しかも、切り替え可能な３つの輝度制御態様が第１の輝度制御態様，第２の輝度制御態様，および第３の輝度制御態様であるので、ユーザは周囲の明るさに応じた輝度にしたい場合は第１の輝度制御態様を選択し、ユーザが最も見易いと感じる所定の輝度にしたい場合は第２の輝度制御態様を選択し、高い省電力効果を得たいと考えれば第３の輝度制御態様を選択すればよく、本発明によればユーザが設定したいと考え得る略すべての輝度制御態様を一つの第１操作部を操作するだけで容易に実現でき、前述した従来技術に対して利便性が飛躍的に向上する（請求項１，９，１１）。
【００１６】
また、切替制御部によって、第１操作部が操作される度に輝度制御部による３つの輝度制御態様が所定の順序で切り替えられるので、ユーザは所望の輝度制御態様への切り替えを非常に容易に実現でき、ユーザの利便性がより向上する（請求項２，４，１０）。
なお、第１操作部が最初に押下されたときには輝度制御部は輝度制御態様を現在のまま維持するとともに、態様表示制御部が現在の輝度制御態様に関する情報を表示部に表示するので、ユーザは第１操作部を操作することによって、現在の輝度制御態様をまず知ることができ、他の輝度制御態様へ変更すべきか否かを容易に判断できるとともに、所望の輝度制御態様へ切り替えるために第１操作部を操作すべき回数を容易に知ることができ、ユーザの利便性がより向上する（請求項３）。
【００１７】
さらに、態様表示制御部が、切り替え後の輝度制御態様に関する情報を表示部に表示させるので、ユーザは第１操作部の操作で輝度制御態様がどの態様に切り替えられたのかを瞬時に判断でき、ユーザの利便性がより向上する（請求項５）。
また、輝度制御部が第３の輝度制御態様をとる場合、センサによって検出された周囲の明るさに応じて最小輝度値を設定するので、高い省電力効果を得る輝度制御態様の選択が非常に容易になるという効果を維持しながら、第３の輝度制御態様に移行する際の周囲の明るさに応じた最小輝度値で表示部が表示されるので、第３の輝度制御態様になることによって表示部の見易さが大きく損なわれることを抑止できる（請求項６）。
【００１８】
また、輝度制御部が第１の輝度制御態様もしくは第３の輝度制御態様で表示部の輝度を制御している際に、第２操作部が操作されると、切替制御部が輝度制御部による輝度制御態様を第２の輝度制御態様に切り替えるので、ユーザは現在の輝度を第２操作部を操作するだけで容易に変更できる（請求項７）。
しかも、そのとき、輝度制御部が、第２操作部の操作に応じて第２の輝度制御態様時の設定輝度を変更するので、ユーザの利便性がより向上する（請求項８）。
【発明を実施するための最良の形態】
【００１９】
以下、図面を参照しながら本発明の実施の形態について説明する。
〔１〕本発明の一実施形態について
まず、図１に示すブロック図を参照しながら、本発明の一実施形態としての表示システム１の構成について説明する。この図１に示すように、本表示システム１は、パーソナルコンピュータ（図中ＰＣ（Personal Computer）と表記；以下、ＰＣという）２と表示（ディスプレイ）装置１０とからなり、ＰＣ２は、映像信号（表示信号）発生し、発生した映像信号を表示装置１０に出力するＣＰＵ（Central Processing Unit；出力部）３をそなえて構成されている。
【００２０】
また、本発明の一実施形態としての表示装置１０は、表示部（例えばＬＣＤ：Liquid Crystal Display；図中“ＬＣＤ”と表記）１１，画像処理部（表示制御部）１２，センサ１３，ＡＤ（Analog/Digital）変換器１４，ＭＰＵ（Micro Processing Unit）１５，エコ機能設定スイッチ（第１操作部；以下、エコボタンという）１６，輝度設定スイッチ（第２操作部；以下、輝度設定ボタンという）１７，インバータ１８，およびバックライト１９をそなえて構成されている。
【００２１】
表示部１１は、ＰＣ２のＣＰＵ３から出力された映像信号に基づく映像等を表示するものである。
画像処理部１２は、ＣＰＵ３から出力された映像信号に基づいた内容を表示部１１に表示させる、つまり、映像信号に基づく表示部１１の表示制御を行なうものである。
センサ１３は、本表示装置１０の周囲の明るさを検出するセンサであり、例えば、図２に示すごとく表示装置１０の正面に、本表示装置１０の周囲の光を受光する受光部１３ａをそなえている。
【００２２】
なお、図２において符号１０ａは電源スイッチ（ボタン）を示し、符号１０ｂは表示装置１０を遠隔操作するためのリモコンからの操作信号を受信する受光部を示し、符号１１ａは表示部１１としての表示画面を示す。
ＡＤ変換器１４は、センサ１３によって検出された光の強度を示すアナログ信号をデジタル信号に変換してＭＰＵ１５に出力するものである。
【００２３】
ＭＰＵ１５は、センサ１３（具体的にはＡＤ変換器１４），エコボタン１６，および輝度設定ボタン１７からの入力に基づいて表示部１１の輝度（明るさ）を制御するものであり、輝度制御部１５ａ，切替制御部１５ｂ，および態様表示制御部１５ｃをそなえて構成されている。
輝度制御部１５ａは、センサ１３によって検出された表示部１１の周囲の明るさに応じて表示部１１の輝度を変更（自動調整）するエコオートモード（第１の輝度制御態様）と、表示部１１の輝度を予め設定された設定輝度に保つエコオフモード（第２の輝度制御態様）と、表示部１１の輝度を予め設定された最小輝度値に保つエコオンモード（第３の輝度制御態様）とのいずれか一つの輝度制御モード（輝度制御態様）で表示部１１の輝度を制御するものである。
【００２４】
切替制御部１５ｂは、エコボタン１６の操作（ここでは押下）に応じて、輝度制御部１５ａによる輝度制御モードを切り替えるものであり、具体的には、ユーザによってエコボタン１６が操作される度（ここでは後述のごとく２回目以降に操作される度）に、輝度制御部１５ａの上記３つの輝度制御モードをのうちのいずれか一つに所定の順序で切り替える。
【００２５】
例えば、切替制御部１５ｂは、図３に示すごとく、エコボタン１６が押下される度にエコオフモード，エコオートモード，エコオンモードの順で輝度制御部１５ａの輝度制御モードを切り替える。
ただし、切替制御部１５ｂは、エコボタン１６が最初に押下されたとき（つまり、前回操作されたときから所定時間経過後に初めて操作されたとき）は、輝度制御部１５ａに対して輝度制御モードの切替制御を行なわず、したがって、輝度制御部１５ａは、エコボタン１６が最初に押下されたときは、輝度制御モードをそのとき（つまり現在）のまま維持する。
【００２６】
すなわち、図３に示す所定順序の輝度制御モードの切り替えはエコボタン１６が２回目以降に押下されたときに行なわれるものである。
また、切替制御部１５ｂは、輝度制御部１５ａがエコオートモードもしくはエコオンモードで表示部１１の輝度を制御している際に、ユーザによって輝度設定ボタン１７が押下されると、輝度制御部１５ａによる輝度制御モードをエコオフモードに切り替える。
【００２７】
なお、輝度制御部１５ａがエコオフモード時にユーザによって輝度設定ボタン１７が押下されても、切替制御部１５ｂは輝度制御部１５ａの輝度制御モードを切り替えず、輝度設定ボタン１７の押下に応じて輝度制御部１５ａがエコオフモード時の設定輝度を変更する。
態様表示制御部１５ｃは、エコボタン１６が押下されると、そのとき輝度制御部１５ａがとっている輝度制御モードに関する情報を表示部１１に表示させるものである。
【００２８】
具体的には、エコボタン１６が最初に押下されたときには、そのときに輝度制御部１５によって維持された現在の輝度制御モードの名称（つまり、“エコオートモード”，“エコオフモード”，“エコオンモード”のいずれか）を表示部１１に表示させる。
さらに、エコボタン１６が２回目以降に押下されたときは、切替制御部１５ｂによって輝度制御部１５ａによる輝度制御態様が切り替えられると、切り替え後の輝度制御モードの名称を表示部１１に表示させる。
【００２９】
エコボタン１６は、上述したように輝度制御部１５ａによる輝度制御モードを切り替える際にユーザによって操作（押下）されるものであり、具体的には例えば図２に示すごとく表示装置１０の正面に設けられている。
輝度設定ボタン１７は、上述したように表示部１１の輝度値を変更する際にユーザによって操作されるものであり、具体的には例えば図２に符号１７ａ〜ｄで示すごとく表示装置１０の正面に設けられている。
【００３０】
つまり、図２の操作ボタン１７ａ〜ｄは輝度設定ボタン１７として機能するものであり、これらの操作ボタン１７ａ〜ｄは、エコオフモード時の所定輝度を設定変更する場合や、表示部１１の色合い調整，位置調整，コントラストの調整，ゆがみの補正，および電源設定等の表示装置１０に係る各種設定事項をＯＳＤ（On Screen Display）により設定する際に、ユーザによって操作されるものである。
【００３１】
インバータ１８は、ＭＰＵ１５の輝度制御部１５ａから表示部１１の輝度を制御すべく出力された輝度制御信号を、アナログ信号に変換してバックライト１９へ出力するものである。
バックライト１９は、表示部１１の輝度を直接的に決定するＬＣＤ用バックライトである。すなわち、バックライト１９の明るさに応じて表示部１１の輝度が決定される。
【００３２】
ここで、ＭＰＵ１５の輝度制御部１５ａによるエコオートモード時の輝度制御手順の一例を、図４に示すフローチャート（ステップＳ１〜Ｓ４）および図５に示すフローチャート（ステップＳ５〜Ｓ８）を参照しながら説明する。
なお、図４，図５に示すエコオートモードは、ユーザが表示部１１の設定画面を参照しながら操作ボタン１７ａ〜ｄを操作してＯＳＤで設定した所定の輝度値ＬOSDと、周囲の明るさとに応じて輝度が自動調整される。
【００３３】
また、図４は周囲の明るさが暗くなった場合の輝度制御部１５ａのエコオートモード時の動作手順を示す図であり、図５は周囲の明るさが明るくなった場合の輝度制御部１５ａのエコオートモード時の動作手順を示す図である。
まず、輝度制御部１５ａは、表示部１１の周囲の明るさを５段階の範囲ＴＹＰＥ０〜４（後述する図６参照；ここでは、“ＴＹＰＥ０”のゾーンが“155lux以上”，“ＴＹＰＥ１”のゾーンが“116lux以上155lux未満”，“ＴＹＰＥ２”のゾーンが“77lux以上116lux未満”，“ＴＹＰＥ３”のゾーンが“38lux以上77lux未満”，“ＴＹＰＥ４”のゾーンが“38lux未満”）に分け、各範囲ＴＹＰＥ０〜４で定めた設定輝度Ａを予め保持している。
【００３４】
図４に示すように、輝度制御部１５ａは、まず、センサ１３が検出した周囲の明るさに応じて、表示部１１の周囲の明るさが暗く変化したか否かを判断する（ステップＳ１）。
例えば、センサ１３は一定期間（例えば１００ｍｓ）ごとに周囲の明るさをサンプリングし、輝度制御部１５ａは複数回（例えば４回）分の値（ＡＤ変換器１４から出力されたＡＤＣ値）の平均値を検出値（つまり、センサ１３によって検出された周囲の明るさ）とする。そして、この検出値が現在保持している前回の検出値に対して一定値以上の差（減少）があり、かつ連続して同じ結果が得られた場合に、輝度制御部１５ａは周囲の明るさが暗く変化したと判断して（ステップＳ１のＹｅｓルート）、その検出された周囲の明るさがどの範囲ＴＹＰＥ０〜４に属するかを判定して、判定した範囲に対応する設定輝度Ａを抽出する（ステップＳ２）。
【００３５】
一方、輝度制御部１５ａが周囲の明るさが暗く変化していないと判断すると（ステップＳ１のＮｏルート）、輝度制御部１５ａは上記ステップＳ２の処理へ移行しない。
次に、輝度制御部１５ａは、上記ステップＳ２で抽出した設定輝度Ａと、現在の表示部１１の輝度値ａと所定の輝度値ＬOSDとの間に、下記式（１）が成り立つか否かを判断する（ステップＳ３）。
【００３６】
ＬOSD≧ａ＞Ａ  ・・・（１）
ここで、上記式（１）が成り立たなければ（ステップＳ３のＮｏルート）、輝度制御部１５ａは上記ステップＳ１の処理に戻る。
一方、上記式（１）が成立すれば（ステップＳ３のＹｅｓルート）、輝度制御部１５ａは表示部１１の輝度ａを設定輝度Ａになるまでバックライト１９の輝度を下げて、輝度ａを設定輝度Ａと等しくして（ステップＳ４）、上記ステップＳ１に戻る。
【００３７】
このように、輝度制御部１５ａはエコオートモードをとる場合、表示部１１の周囲の明るさが暗くなるのに応じて、表示部１１の輝度を低く（暗く）する。
次に、図５を参照しながら、周囲の明るさが明るくなった場合の輝度制御部１５ａのエコオートモード時の動作手順を説明すると、輝度制御部１５ａは、まず、センサ１３が検出した周囲の明るさに応じて、表示部１１の周囲の明るさが明るく変化したか否かを判断する（ステップＳ５）。
【００３８】
ここで、輝度制御部１５ａは、上述のごとく平均化されたセンサ１３の検出値が前回の検出値に対して一定値以上の差（増加）があり、かつ連続して同じ結果が得られた場合に、周囲の明るさが明るく変化したと判断して（ステップＳ５のＹｅｓルート）、その検出された周囲の明るさがどの範囲ＴＹＰＥ０〜４に属するかを判定して、判定した範囲に対応する設定輝度Ａを抽出する（ステップＳ６）。
【００３９】
一方、輝度制御部１５ａが周囲の明るさが明るく変化していないと判断すると（ステップＳ５のＮｏルート）、輝度制御部１５ａは上記ステップＳ６の処理へ移行しない。
次に、輝度制御部１５ａは、上記ステップＳ６で抽出した設定輝度Ａと、現在の表示部１１の輝度値ａと所定の輝度値ＬOSDとの間に、下記式（２）が成り立つか否かを判断する（ステップＳ７）。
【００４０】
ＬOSD≧Ａ＞ａ  ・・・（２）
ここで、上記式（２）が成り立たなければ（ステップＳ７のＮｏルート）、輝度制御部１５ａは上記ステップＳ５の処理に戻る。
一方、上記式（２）が成立すれば（ステップＳ７のＹｅｓルート）、輝度制御部１５ａは表示部１１の輝度ａを設定輝度Ａになるまでバックライト１９の輝度を上げて、輝度ａを設定輝度Ａと等しくして（ステップＳ８）、上記ステップＳ５に戻る。
【００４１】
このように、輝度制御部１５ａはエコオートモードをとる場合、表示部１１の周囲の明るさが明るくなるのに応じて、表示部１１の輝度を高く（明るく）する。
なお、本発明において、輝度制御部１５ａによるエコオードモードの具体的な輝度制御方法（輝度の自動調整方法）は限定されるものではなく、例えば前述した特許文献１，２に開示された技術を適用してもよいし、あるいは、図６に示すごとく周囲の明るさの範囲ＴＹＰＥ０〜４ごとに輝度値を一定に制御するようにしてもよいし、もしくは、図７に示すごとく周囲が明るくなっても予めユーザが設定した設定値以上には輝度を高めないように制御してもよい。なお、図６および図７において、左縦軸はモニタの輝度（ｃｄ）を示し、右縦軸は左縦軸の輝度に対応するＯＳＤ設定時の輝度を調節するための目盛（ＯＳＤ目盛）を示している。
【００４２】
また、輝度制御部１５ａがエコオフモードで輝度制御を行なう場合は、例えば、図８に示すごとく、輝度制御部１５ａは、周囲の明るさに係わらず、表示部１１の輝度を、ユーザが輝度設定ボタン１７を操作してＯＳＤによって設定した設定輝度値（ここではＯＳＤ目盛が“７５”に相当する輝度値）に一定制御する。
さらに、図８に示すごとく、輝度制御部１５ａがエコオンモードで輝度制御を行なう場合は、輝度制御部１５ａは、周囲の明るさに係わらず、表示部１１の輝度を最小輝度値（ここでは、ＯＳＤ目盛が“０”に相当する輝度値）に一定制御する。このとき、輝度制御部１５ａは、具体的にはインバータ１８からバックライト１９に最小輝度値を実現する最小電流が出力される輝度制御信号をインバータ１８に出力する。
【００４３】
次に、図９に示すフローチャート（ステップＳ１０〜Ｓ１９）を参照しながら、本表示装置１０の輝度制御手順について説明する。なお、図９に示す例は処理フロー開始時（現在）に輝度制御部１５ａがエコオフモードで輝度制御を行なっている場合である。
まず、ユーザによってエコボタン１６が最初に押下されると（ステップＳ１０のＹｅｓルート）、態様表示制御部１５ｃが、現在のモード（輝度制御モード）の名称（ここでは“エコオフモード”）を表示部１１に表示させ（ステップＳ１１）、輝度制御部１５ａは輝度制御モードを変更せずに現状の輝度制御モードであるエコオフモードをそのまま維持する（ステップＳ１２）。
【００４４】
なお、当然であるが、エコボタン１６がユーザによって押下されなければ（ステップＳ１０のＮｏルート）、上記ステップＳ１１以降の処理は発生しない。
次に、ユーザによってさらに（ここでは２回目に）エコボタン１６が押下されると（ステップＳ１３のＹｅｓルート）、切替制御部１５ｂが、輝度制御部１５ａによる輝度制御モードをエコオフモードからエコオートモードに切り替える（ステップＳ１４）。
【００４５】
なお、ユーザによって２回目のエコボタン１６の押下がされなければ（ステップＳ１３のＮｏルート）、上記ステップＳ１４の処理には移行しない。具体的には、予め設定された所定時間の間、ユーザによってエコボタン１６の２回目の押下がされなければ、輝度制御部１５ａは輝度制御モードをエコオフモードに確定し、さらに、態様表示制御部１５ｃは “エコオフモード”の表示部１１への表示制御を終了して、表示部１１における“エコオフモード”の表示を消す。
【００４６】
続いて、ユーザがさらに（ここでは３回目に）エコボタン１６を押下すると（ステップＳ１５のＹｅｓルート）、切替制御部１５ｂは、輝度制御部１５ａによる輝度制御モードをエコオートモードからエコオンモードに切り替える（ステップＳ１６）。
一方、輝度制御部１５ａがエコオートモードをとっている際に、ユーザがエコボタン１６を押下せずに（ステップＳ１５のＮｏルート）、輝度設定ボタン１７を押下すると（ステップＳ１７のＹｅｓルート）、切替制御部１５ｂは、輝度制御部１５ａによる輝度制御モードをエコオートモードからエコオフモードに切り替えるとともに、輝度制御部１５ａは、輝度設定ボタン１７の押下に応じてエコオフモード時の設定輝度を変更する（ステップＳ１２）。
【００４７】
このとき、表示部１１にはＭＰＵ１５によってＯＳＤの設定画面が表示される。さらに、このとき輝度制御部１５ａによる設定輝度は、輝度設定ボタン１７が押下されたときのエコオードモード時の輝度に対して変更を加えた値を設定輝度とする。つまり、輝度制御部１５ａは、元々エコオフモード時用に設定されていた設定輝度に対する変更ではなく、輝度設定ボタン１７押下時の輝度に対する変更をそのまま設定輝度として受け付ける。これにより、ユーザは現在表示されている輝度からそのままの状態で所望の輝度を設定することができ、ユーザの利便性が向上する。
【００４８】
なお、輝度設定ボタン１７として図２の輝度設定ボタン１７ｂ（“−”ボタン）が押下されると輝度が下がり、輝度設定ボタン１７ｃ（“＋”ボタン）が押下されると輝度が上がる。
また、当然であるが、ユーザがエコボタン１６を押下せず（ステップＳ１５のＮｏルート）、輝度設定ボタン１７も押下しなければ（ステップＳ１７のＮｏルート）、輝度制御部１５ａによる輝度制御モードはエコオートモードのままである（ステップＳ１４）。具体的には、上記ステップＳ１３でユーザによってエコボタン１６が押下されてから予め設定された所定時間、ユーザによってエコボタン１６がさらに押下されなければ、輝度制御部１５ａは輝度制御モードをエコオートモードに確定する。さらにこのとき、態様表示制御部１５ｃは上記ステップＳ１４の処理時に開始した“エコオートモード”の表示部１１への表示制御を終了して、表示部１１における“エコオートモード”の表示を消す。
【００４９】
そして、切替制御部１５ｂによって輝度制御部１５ａの輝度制御モードがエコオンモードに変更された（ステップＳ１６）後に、ユーザがエコボタン１６を押下せずに（ステップＳ１８のＮｏルート）、輝度設定ボタン１７を押下すると（ステップＳ１９のＹｅｓルート）、切替制御部１５ｂは、輝度制御部１５ａによる輝度制御モードをエコオンモードからエコオフモードに切り替えるとともに、輝度制御部１５ａは、輝度設定ボタン１７の押下に応じて上述のごとくエコオフモード時の設定輝度を変更する（ステップＳ１２）。
【００５０】
なお、当然であるが、ユーザがエコボタン１６を押下せず（ステップＳ１８のＮｏルート）、輝度設定ボタン１７も押下しなければ（ステップＳ１９のＮｏルート）、輝度制御部１５ａによる輝度制御モードはエコオンモードのままである（ステップＳ１６）。具体的には、上記ステップＳ１５でユーザによってエコボタン１６が押下されてから予め設定された所定時間、ユーザによってエコボタン１６がさらに押下されなければ、輝度制御部１５ａは輝度制御モードをエコオンモードに確定する。さらにこのとき、態様表示制御部１５ｃは上記ステップＳ１６の処理時に開始した“エコオンモード”の表示部１１への表示制御を終了して、表示部１１における“エコオンモード”の表示を消す。
【００５１】
一方、切替制御部１５ｂによって輝度制御部１５ａの輝度制御モードがエコオンモードに変更された（ステップＳ１６）後に、ユーザがエコボタン１６を押下すると（ステップＳ１８のＹｅｓルート）、切替制御部１５ｂは輝度制御部１５ａによる輝度制御モードをエコオンモードからエコオフモードに切り替える（ステップＳ１２）。以降、ユーザによるエコボタン１６および輝度設定ボタン１７の押下に応じて、上述したステップＳ１２〜Ｓ１９の処理が実行される。
【００５２】
なお、上述したステップＳ１２〜Ｓ１９の処理において、切替制御部１５ｂによって輝度制御部１５ａの輝度制御モードが切り替えられると、その都度、態様表示制御部１５が切り替え後の輝度制御モードの名称を表示部１１に表示させる。
【００５３】
このように、本発明の一実施形態としての表示システム１（表示装置１０）によれば、輝度制御部１５ａがエコオートモード，エコオフモード，およびエコオンモードの３つの輝度制御モードをとるように構成され、切替制御部１５ｂが、エコボタン１６の操作に応じて輝度制御部１５ａによる輝度制御モードを切り替えるので、ユーザは表示装置１０に設けられた、たった一つのエコボタン１６を操作（押下）するだけで表示装置１０の輝度制御モードを省電力効果が非常に高いエコオンモードに変更でき、ユーザは、省電力効果が高いエコオンモードへの切り替えを非常に容易に実現できる。
【００５４】
さらに、一つのエコボタン１６を押下するだけという非常に容易な操作で３つの輝度制御モードを選択できるのでユーザの利便性がより向上する。
しかも、切り替え可能な３つの輝度制御モードがエコオートモード，エコオフモード，およびエコオンモードであるので、ユーザは周囲の明るさに応じた輝度にしたい場合はエコオートモードを選択し、ユーザが最も見易いと感じる所定の輝度にしたい場合はエコオフモードを選択し、高い省電力効果を得たいと考えればエコオンモードを選択すればよく、本発明によればユーザが設定したいと考え得る略すべての輝度制御モードを一つのエコボタン１６を押下するだけで容易に実現でき、前述した従来技術に対して利便性が飛躍的に向上する。
【００５５】
また、切替制御部１５ｂによって、エコボタン１６が押下される度（ここではエコボタン１６が２回目以降に押下される度）に輝度制御部１５ａによる３つの輝度制御モードが所定の順序で切り替えられるので、ユーザは所望の輝度制御モードへの切り替えを非常に容易に実現でき、ユーザの利便性がより向上する。
なお、切替制御部１５ｂは、エコボタン１６が最初に押下されたときには輝度制御部１５ａの輝度制御モードを切り替えず、輝度制御部１５ａは輝度制御モードを現在のまま維持するとともに、態様表示制御部１５ｃが現在の輝度制御モードに関する情報としてその輝度制御モードの名称を表示部１１に表示するので、ユーザはエコボタン１６を押下することによって、現在の輝度制御モードをまず知ることができ、他の輝度制御モードへ変更すべきか否かを容易に判断できるとともに、所望の輝度制御モードへ移行するためにエコボタン１６を押下する回数を容易に知ることができ、ユーザの利便性がより向上する。
【００５６】
さらに、態様表示制御部１５ｃが、切替制御部１５ｂによって輝度制御部１５ａによる輝度制御モードが切り替えられたときは、切り替え後の輝度制御モードに関する情報としてその輝度制御モードの名称を表示部１１に表示させるので、ユーザはエコボタン１６の押下で輝度制御モードがどのモードに切り替えられたのかを瞬時に判断でき、ユーザの利便性がより向上する。
【００５７】
また、輝度制御部１５ａがエコオートモードもしくはエコオンモードで表示部１１の輝度を制御している際に、輝度設定ボタン１７が操作（押下）されると、切替制御部１５ｂが輝度制御部１５ａによる輝度制御モードをエコオフモードに切り替えるので、ユーザは現在の輝度を容易に変更できる。
しかも、そのとき、輝度制御部１５ａが、輝度設定ボタン１７の押下に応じてエコオフモード時の設定輝度を変更するので、その後もエコボタン１６等を操作してエコオフモードに変更すれば輝度設定ボタンを押下して変更した輝度で表示部１１を表示することができ、ユーザの利便性がより向上する。
【００５８】
〔２〕その他
なお、本発明は上述した実施形態に限定されるものではなく、本発明の趣旨を逸脱しない範囲で種々変形して実施することができる。
例えば、上述した実施形態では、輝度制御部１５ａはエコオンモードによって輝度制御を行なう場合、周囲の明るさに係わらず最小輝度値を保つように表示部１１の輝度を制御する場合を例にあげて説明したが、本発明はこれに限定されるものではなく、輝度制御部１５ａはエコオンモードをとる場合、センサ１３によって検出された周囲の明るさに応じて最小輝度値を設定するように構成してもよい。
【００５９】
具体的には、例えば、輝度制御部１５ａは、上述した図８に示すＴＹＰＥ０〜４の範囲ごとの最小輝度値を予め保持しておき、ユーザがエコボタン１６を押下してエコオンモードに切り替えられた場合、そのエコボタン１６を押下したときにセンサ１３によって検出された周囲の明るさがどの範囲（ＴＹＰＥ０〜４）に該当するかを判断し、該当する範囲に対応する最小輝度値で表示部１１の輝度を一定制御する。
【００６０】
より具体的には、輝度制御部１５ａは、エコボタン１６が押下されたときの周囲の明るさがＴＹＰＥ０に該当する場合は、表示部１１の輝度がＯＳＤ目盛（図８参照）“２０”に対応する輝度になるように制御し、ＴＹＰＥ１に該当する場合は表示部１１の輝度がＯＳＤ目盛“１５”に対応する輝度になるように制御し、ＴＹＰＥ２に該当する場合は表示部１１の輝度がＯＳＤ目盛“１０”に対応する輝度になるように制御し、ＴＹＰＥ３に該当する場合は表示部１１の輝度がＯＳＤ目盛“５”に対応する輝度になるように制御し、ＴＹＰＥ４に該当する場合は表示部１１の輝度がＯＳＤ目盛“０”に対応する輝度になるように制御する。
【００６１】
このように、輝度制御部１５ａがエコオンモードをとる場合、センサ１３によって検出された周囲の明るさに応じて最小輝度値を設定する（つまり、周囲の明るさが明るい程明るい最小輝度値となるように段階的に最小輝度値を設定する）ことにより、上述した実施形態と同様に、高い省電力効果を得る輝度制御モードの選択が非常に容易になるという効果を維持しながら、さらに、エコオンモードに移行する際の周囲の明るさに応じた最小輝度値で表示部１１が表示されるので、エコオンモードになることによって表示部１１の見易さが大きく損なわれることを抑止できる。
【００６２】
また、上述した実施形態では、ユーザによってエコボタン１６が最初に押下されたときは、切替制御部１５ｂは輝度制御部１５ａの輝度制御モードを切り替えず、輝度制御部１５ａは現在の輝度制御モードを維持するように構成したが、本発明はこれに限定されるものではなく、切替制御部１５ｂがユーザによってエコボタン１６が最初に押下されたときにも輝度制御部１５ａの輝度制御モードを切り替えるように構成し、輝度制御部１５ａがユーザによってエコボタン１６を最初に押下されたときにも輝度制御モードを変更するように構成してもよい。
【００６３】
このとき、態様表示制御部１５ｃは、エコボタン１６の最初の押下による切り替え後の輝度制御モードの名称を表示部１１に表示させ、その後もエコボタン１６が押下される度に、切り替え後の輝度制御モードの名称を表示部１１に表示させる。
さらに、上述した実施形態では、切替制御部１５ｂが、エコボタン１６が押下される度にエコオフモード，エコオートモード，エコオンモードの所定順序で輝度制御部１５ａの輝度制御モードを切り替える場合を例にあげて説明したが、切替制御部１５がエコボタン１６が押下される度に切り替える輝度制御部１５ａの輝度制御モードの順序は本発明において限定されるものではなく、少なくとも一定の順序であればよい。
【００６４】
なお、上述した実施形態では、表示システム１がＰＣ２と表示装置１０とからなる場合を例にあげて説明したが、本発明はこれに限定されるものではなく、表示装置１０に接続される装置は表示装置１０に対して映像信号を出力するものであればよい。また、ＰＣ２（もしくはＰＣ２に該当する映像信号を出力する装置）と表示装置１０とは別装置として構成されずに同装置として一つの筐体で構成されてもよい。
【００６５】
また、上述した実施形態では、表示部１１がＬＣＤである場合を例にあげて説明したが、本発明はこれに限定されるものではなく、表示部１１は輝度を変更しうるものであればよい。
さらに、上述した実施形態では、エコボタン１６が押下式のボタンである場合を例にあげて説明したが、本発明はこれに限定されるものではなく、例えばエコボタン１６はダイヤル式の操作部であってもよいし、スライド式の操作部であってもよく、ユーザが操作しうるものであればよい。
【００６６】
なお、上述した実施形態では、輝度設定ボタン１７がボタン１７ａ〜ｄである場合を例にあげて説明したが、本発明はこれに限定されるものではなく、ボタン１７ａ〜ｄのうちの少なくとも一つが輝度設定ボタン１７として機能すればよく、例えばボタン１７ａ，１７ｄはＯＳＤ専用で、ボタン１７ｂ（−ボタン）およびボタン１７ｃ（＋ボタン）が輝度設定ボタン１７として機能するように構成してもよい。
【００６７】
また、上述した輝度制御部１５ａ，切替制御部１５ｂ，および態様表示制御部１５ｃとしての機能は、コンピュータ（ＣＰＵ，情報処理装置，各種端末を含む）が所定のアプリケーションプログラム（輝度調整プログラム）を実行することによって実現されてもよい。
そのプログラムは、例えばフレキシブルディスク，ＣＤ（ＣＤ−ＲＯＭ，ＣＤ−Ｒ，ＣＤ−ＲＷなど），ＤＶＤ（ＤＶＤ−ＲＯＭ，ＤＶＤ−ＲＡＭ，ＤＶＤ−Ｒ，ＤＶＤ−ＲＷ，ＤＶＤ＋Ｒ，ＤＶＤ＋ＲＷなど）等のコンピュータ読取可能な記録媒体に記録された形態で提供される。この場合、コンピュータはその記録媒体から輝度調整プログラムを読み取って内部記憶装置または外部記憶装置に転送し格納して用いる。また、そのプログラムを、例えば磁気ディスク，光ディスク，光磁気ディスク等の記憶装置（記録媒体）に記録しておき、その記憶装置から通信回線を介してコンピュータに提供するようにしてもよい。
【００６８】
ここで、コンピュータとは、ハードウェアとＯＳ（オペレーティングシステム）とを含む概念であり、ＯＳの制御の下で動作するハードウェアを意味している。また、ＯＳが不要でアプリケーションプログラム単独でハードウェアを動作させるような場合には、そのハードウェア自体がコンピュータに相当する。ハードウェアは、少なくとも、ＣＰＵ等のマイクロプロセッサと、記録媒体に記録されたコンピュータプログラムを読み取るための手段とをそなえている。
【００６９】
上記輝度調整プログラムとしてのアプリケーションプログラムは、上述のようなコンピュータに、輝度制御部１５ａ，切替制御部１５ｂ，および態様表示制御部１５ｃとしての機能を実現させるプログラムコードを含んでいる。また、その機能の一部は、アプリケーションプログラムではなくＯＳによって実現されてもよい。
なお、本実施形態としての記録媒体としては、上述したフレキシブルディスク，ＣＤ，ＤＶＤ，磁気ディスク，光ディスク，光磁気ディスクのほか、ＩＣカード，ＲＯＭカートリッジ，磁気テープ，パンチカード，コンピュータの内部記憶装置（ＲＡＭやＲＯＭなどのメモリ），外部記憶装置等や、バーコードなどの符号が印刷された印刷物等の、コンピュータ読取可能な種々の媒体を利用することもできる。
【００７０】
〔３〕付記
（付記１）
表示部と、
該表示部の周囲の明るさを検出するセンサと、
該センサによって検出された前記周囲の明るさに応じて該表示部の輝度を変更する第１の輝度制御態様と、該表示部の輝度を予め設定された設定輝度に保つ第２の輝度制御態様と、該表示部の輝度を最小輝度値に保つ第３の輝度制御態様とのいずれか一つの輝度制御態様で該表示部の輝度を制御する輝度制御部と、
該輝度制御部による前記輝度制御態様を切り替える際に操作される第１操作部と、
該第１操作部の操作に応じて、該輝度制御部による前記輝度制御態様を切り替える切替制御部とをそなえて構成されていることを特徴とする、表示装置。
【００７１】
（付記２）
該切替制御部が、該第１操作部が操作される度に、該輝度制御部による前記輝度制御態様を前記第１の輝度制御態様，前記第２の輝度制御態様，および前記第３の輝度制御態様のうちのいずれか一つに所定の順序で切り替えることを特徴とする、付記１記載の表示装置。
【００７２】
（付記３）
該第１操作部が最初に操作されたときは、該輝度制御部が前記輝度制御態様を現在のまま維持するとともに、該輝度制御部によって維持された現在の前記輝度制御態様に関する情報を該表示部に表示させる態様表示制御部をそなえて構成されていることを特徴とする、付記１記載の表示装置。
【００７３】
（付記４）
該第１操作部が２回目以降に操作されたときは、該第１操作部が操作される度に、該切替制御部が該輝度制御部による前記輝度制御態様を前記第１の輝度制御態様，前記第２の輝度制御態様，および前記第３の輝度制御態様のうちのいずれか一つに所定の順序で切り替えることを特徴とする、付記３記載の表示装置。
【００７４】
（付記５）
該態様表示制御部が、該切替制御部によって該輝度制御部による前記輝度制御態様が切り替えられたときは、切り替え後の前記輝度制御態様に関する情報を該表示部に表示させることを特徴とする、付記４記載の表示装置。
（付記６）
該態様表示制御部が、前記輝度制御態様に関する情報として、当該輝度制御態様の名称を該表示部に表示させることを特徴とする、付記３〜５のいずれか１項に記載の表示装置。
【００７５】
（付記７）
該輝度制御部が、前記第３の輝度制御態様をとる場合、該センサによって検出された前記周囲の明るさに応じて前記最小輝度値を設定することを特徴とする、付記１〜６のいずれか１項に記載の表示装置。
（付記８）
該表示部の輝度値を変更する際に操作される第２操作部をそなえ、
該輝度制御部が前記第１の輝度制御態様もしくは前記第３の輝度制御態様で該表示部の輝度を制御している際に、該第２操作部が操作されると、該切替制御部が該輝度制御部による前記輝度制御態様を前記第２の輝度制御態様に切り替えることを特徴とする、付記１〜７のいずれか１項に記載の表示装置。
【００７６】
（付記９）
該輝度制御部が、該第２操作部の操作に応じて前記第２の輝度制御態様をとる場合の前記設定輝度を変更することを特徴とする、付記８記載の表示装置。
（付記１０）
表示部と、
表示信号を出力する出力部と、
該出力部によって出力された表示信号に基づいた内容を該表示部に表示させる表示制御部と、
該表示部の周囲の明るさを検出するセンサと、
該センサによって検出された前記周囲の明るさに応じて該表示部の輝度を変更する第１の輝度制御態様と、該表示部の輝度を予め設定された設定輝度に保つ第２の輝度制御態様と、該表示部の輝度を最小輝度値に保つ第３の輝度制御態様とのいずれか一つの輝度制御態様で該表示部の輝度を制御する輝度制御部と、
該輝度制御部による前記輝度制御態様を切り替える際に操作される第１操作部と、
該第１操作部の操作に応じて、該輝度制御部による前記輝度制御態様を切り替える切替制御部とをそなえて構成されていることを特徴とする、表示システム。
【００７７】
（付記１１）
該切替制御部が、該第１操作部が操作される度に、該輝度制御部による前記輝度制御態様を前記第１の輝度制御態様，前記第２の輝度制御態様，および前記第３の輝度制御態様のうちのいずれか一つに所定の順序で切り替えることを特徴とする、付記１０記載の表示システム。
【００７８】
（付記１２）
該第１操作部が最初に操作されたときは、該輝度制御部が前記輝度制御態様を現在のまま維持するとともに、該輝度制御部によって維持された現在の前記輝度制御態様に関する情報を該表示部に表示させる態様表示制御部をそなえて構成されていることを特徴とする、付記１０記載の表示システム。
【００７９】
（付記１３）
該第１操作部が２回目以降に操作されたときは、該第１操作部が操作される度に、該切替制御部が該輝度制御部による前記輝度制御態様を前記第１の輝度制御態様，前記第２の輝度制御態様，および前記第３の輝度制御態様のうちのいずれか一つに所定の順序で切り替えることを特徴とする、付記１２記載の表示システム。
【００８０】
（付記１４）
該態様表示制御部が、該切替制御部によって該輝度制御部による前記輝度制御態様が切り替えられたときは、切り替え後の前記輝度制御態様に関する情報を該表示部に表示させることを特徴とする、付記１３記載の表示システム。
（付記１５）
該態様表示制御部が、前記輝度制御態様に関する情報として、当該輝度制御態様の名称を該表示部に表示させることを特徴とする、付記１２〜１４のいずれか１項に記載の表示システム。
【００８１】
（付記１６）
該輝度制御部が、前記第３の輝度制御態様をとる場合、該センサによって検出された前記周囲の明るさに応じて前記最小輝度値を設定することを特徴とする、付記１０〜１５のいずれか１項に記載の表示システム。
（付記１７）
該表示部の輝度値を変更する際に操作される第２操作部をそなえ、
該輝度制御部が前記第１の輝度制御態様もしくは前記第３の輝度制御態様で該表示部の輝度を制御している際に、該第２操作部が操作されると、該切替制御部が該輝度制御部による前記輝度制御態様を前記第２の輝度制御態様に切り替えることを特徴とする、付記１０〜１６のいずれか１項に記載の表示システム。
【００８２】
（付記１８）
該輝度制御部が、該第２操作部の操作に応じて前記第２の輝度制御態様をとる場合の前記設定輝度を変更することを特徴とする、付記１７記載の表示システム。
（付記１９）
表示部と、当該表示部の周囲の明るさを検出するセンサとを有する表示装置の輝度調整を行なう機能をコンピュータに実現させるための輝度調整プログラムであって、
該センサによって検出された前記周囲の明るさに応じて該表示部の輝度を変更する第１の輝度制御態様と、該表示部の輝度を予め設定された設定輝度に保つ第２の輝度制御態様と、該表示部の輝度を最小輝度値に保つ第３の輝度制御態様とのいずれか一つの輝度制御態様で該表示部の輝度を制御する輝度制御部、および、
該輝度制御部による前記輝度制御態様を切り替える際に操作される操作部の操作に応じて、該輝度制御部による前記輝度制御態様を切り替える切替制御部として、前記コンピュータを機能させることを特徴とする、輝度調整プログラム。
【００８３】
（付記２０）
該切替制御部が、該操作部が操作される度に、該輝度制御部による前記輝度制御態様を前記第１の輝度制御態様，前記第２の輝度制御態様，および前記第３の輝度制御態様のうちのいずれか一つに所定の順序で切り替えるように、前記コンピュータを機能させることを特徴とする、付記１９記載の輝度調整プログラム。
【図面の簡単な説明】
【００８４】
【図１】本発明の一実施形態としての表示システムの構成を示すブロック図である。
【図２】本発明の一実施形態としての表示装置の外観正面図である。
【図３】本発明の一実施形態としての表示システムの表示装置の切替制御部による輝度制御モードの切替順序を説明するための図である。
【図４】本発明の一実施形態としての表示システムの表示装置の輝度制御部がエコオートモードで表示部の輝度制御を行なう際の輝度制御部の動作手順を説明するためのフローチャートである。
【図５】本発明の一実施形態としての表示システムの表示装置の輝度制御部がエコオートモードで表示部の輝度制御を行なう際の輝度制御部の動作手順を説明するためのフローチャートである。
【図６】本発明の一実施形態としての表示システムの表示装置の輝度制御部がエコオートモードをとる場合の輝度値の自動調整例を示す図である。
【図７】本発明の一実施形態としての表示システムの表示装置の輝度制御部がエコオートモードをとる場合の輝度値の自動調整例を示す図である。
【図８】本発明の一実施形態としての表示システムの表示装置の輝度制御部のエコオフモード時の設定輝度値の一例およびエコオンモード時の最小輝度値の一例を示す図である。
【図９】本発明の一実施形態としての表示システムの表示装置の動作手順を説明するためのフローチャートである。
【符号の説明】
【００８５】
１  表示システム
２  ＰＣ（Personal Computer：パーソナルコンピュータ）
３  ＣＰＵ（Central Processing Unit：出力部）
１０  表示装置
１１  表示部（ＬＣＤ：Liquid Crystal Display）
１２  画像処理部（表示制御部）
１３  センサ
１４  ＡＤ（Analog/Digital）変換器
１５  ＭＰＵ（Micro Processing Unit）
１５ａ  輝度制御部
１５ｂ  切替制御部
１５ｃ  態様表示制御部
１６  エコ機能設定スイッチ（エコボタン；第１操作部）
１７  輝度設定スイッチ（輝度設定ボタン；第２操作部）
１８  インバータ
１９  バックライト
【図１】
2008164766.tif 000003
【図２】
2008164766.tif 000004
【図３】
2008164766.tif 000005
【図４】
2008164766.tif 000006
【図５】
2008164766.tif 000007
【図６】
2008164766.tif 000008
【図７】
2008164766.tif 000009
【図８】
2008164766.tif 000010
【図９】
2008164766.tif 000011